(57)【特許請求の範囲】
【請求項１】
家具ユニットの可動部を開閉させるための装置であって、
家具（１１６）の固定部分に連結され、第一弾性手段（５）の動作によりスライド軸（１００）に沿って往復動可能に摺動するスライダー（３）を支持するための支持本体（２０８）を備え、
前記スライダー（３）は、引き出し要素（２０５）に設けられた引き出し手段（２０６）と係合可能であって、
前記引き出し要素（２０５）は、前記スライド軸（１００）の方向に摺動し、一体的または着脱可能に前記家具ユニットの可動部（１０３）に連結可能であり、
前記支持本体（２０８）は、前記引き出し手段（２０６）および前記スライダー（３）を互いの係合から開放させるために前記引き出し手段（２０６）を移動させるように適応された第一移動手段（４５）を有し、
弾性的に柔らかなストップ要素（２０９）が、さらに設けられ、
前記引き出し要素（２０５）は、前記第一移動手段（４５）において、前記スライダー（３）の前端部（１５９）が前記引き出し手段（２０６）と係合する前に、前記ストップ要素に対して直接的または間接的に当接し、
前記引き出し要素（２０５）を、前記第一弾性手段（５）の押す力よりも弱い力で、直接的または間接的に反対方向に押すように適応されたスラスト手段（２０，２０ｂ）を備えることを特徴とする、家具ユニットの可動部を開閉させるための装置（１）。
【請求項２】
前記スラスト手段は、前記引き出し要素（２０５）を、その移動部分の一部において押すことを特徴とする、請求項１に記載の家具ユニットの可動部を開閉させるための装置（１）。
【請求項３】
前記引き出し手段は、前記引き出し要素（２０５）によって、前記スライド軸（１００）と交差する方向に移動可能な方法で支持されることを特徴とする、請求項１または２に記載の家具ユニットの可動部を開閉させるための装置（１）。
【請求項４】
前記引き出し手段（２０６）は、往復動可能な方法で前記引き出し要素（２０５）に枢支されたレバー（４３）に固定された引き出しピン（２０６）を有することを特徴とする、請求項１〜３のいずれかに記載の家具ユニットの可動部を開閉させるための装置（１）。
【請求項５】
前記支持本体（２０８）に設けられ、前記引き出しピン（２０６）の自由端をその延在方向に沿って案内するトラック（４５）において、
前記第一移動手段は、前記スライド軸（１００）と平行に延在する前記トラック（４
５）の第三の領域（１５３）および第四の領域（１５４）に連結され、前記スライド軸（１００）と交差する方向に延在する少なくとも一つの第一の領域（１５１）および第二の領域（１５２）を有することを特徴とする、請求項４に記載の家具ユニットの可動部を開閉させるための装置（１）。
【請求項６】
前記トラック（４５）は、互いに平行となるように近接して延在する二つのレールを含むことを特徴とする、請求項５に記載の家具ユニットの可動部を開閉させるための装置（１）。
【請求項７】
前記レバー（４３）は、前記引き出しピン（２０６）の反対側のアーム上において、
前記可動部（１０３）と機械的に係合するための要素（４２）を保持する、請求項４〜６のいずれかに記載の家具ユニットの可動部を開閉させるための装置（１）。
【請求項８】
前記引き出し要素（２０５）を前記可動部（１０３）に連結させるためのマグネット要素（３００）を備えることを特徴とする、請求項１〜７のいずれかに記載の家具ユニットの可動部を開閉させるための装置（１）。
【請求項９】
前記支持本体（２０８）は、前記スライド軸（１００）の方向に延在する溝部（２０４）と、
前記溝部の前端部において、前記スライダー（３）を前記スライド軸（１００）と交差する方向に移動させるための第二移動手段とを有し、
前記第二移動手段は、前記スライダー（３）のガイド手段と、開放可能な方法で係合するように適応されていることを特徴とする、請求項１〜８のいずれかに記載の家具ユニットの可動部を開閉させるための装置（１）。
【請求項１０】
第二移動手段は、前記溝部（２０４）に設けられた前方屈曲部（１５５）を含み、
前記ガイド手段は、前記スライダー（３）に設けられ、前記溝部（２０４）内を摺動する前方ガイドピン（１５６）および後方ガイドピン（１５７）を含むことを特徴とする、請求項９に記載の家具ユニットの可動部を開閉させるための装置（１）。
【請求項１１】
前記スライダー（３）は、前記引き出しピン（２０６）の移動を規制するために、前端部（１５９）と後端部（１６０）とによって画定される凹み面（１５８）を有し、
前記凹み面（１５８）は、前記引き出しピン（２０６）と開放可能に係合するリアキャビティー（１６１）をさらに有することを特徴とする、請求項４〜７のいずれかに記載の家具ユニットの可動部を開閉させるための装置（１）。
【請求項１２】
前記支持本体（２０８）によって保持され、第二弾性手段の動作により前記スライド軸（１００）の方向に往復動可能に摺動する第二スライダー（１０１）を備え、
前記第二スライダー（１０１）は、前記引き出し要素（２０５）に設けられた第二引き出し手段と係合可能であることを特徴とする、請求項１〜１１のいずれかに記載の家具ユニットの可動部を開閉させるための装置（１）。
【請求項１３】
前記スラスト手段は、前記スライド軸（１００）の方向に移動可能なステム（２０ｂ）を収容するための収容部分（２０）を含むイジェクターを有し、
前記収容部分（２０）は、前記弾性的に柔らかなストップ要素（２０９）によって、
前記支持本体（２０８）に設けられた固定ストップ要素（５０）に対して、前記ストップ要素（２０９）に向けて引き戻し可能な方法で前記スライド軸（１００）の方向に移動され、
前記ステム（２０ｂ）は、前記可動部（１０３）を開くための最初の移動を生じさせるために、前記引き出し要素（２０５）の後方ベース部に対して作用するように適応されることを特徴とする、請求項１〜１２のいずれかに記載の家具ユニットの可動部を開閉させるための装置（１）。
【請求項１４】
前記弾性的に柔らかなストップ要素（２０９）は、前記収容部分（２０）の後方ベース部と、前記収容部分（２０）が内部を移動可能な固定ガイド（１６２）の底壁との間に挿入されたバネであることを特徴とする、請求項１３に記載の家具ユニットの可動部を開閉させるための装置（１）。
【発明の詳細な説明】
【技術分野】
【０００１】
本発明は、家具ユニットの可動部を開閉するための装置に関するものである。
【背景技術】
【０００２】
これまで市場において、実際上、自動的に家具ユニットの可動部を開放および／または閉鎖をする、例えば家具ユニットに設けられた扉や引き出しのような装置が普及していることは、周知の事実である。
【０００３】
例えば、家具ユニットの引き出しを開くために、ラチェットと呼ばれる装置が、現在使用されている。このラチェットは、引き出しに軽い圧力を加えることによって開放されるスラスト手段を備えている。このスラスト手段は、開放された時に、これらスラスト手段が引き出しに対して負荷し、制御された変位を決定する弾性力の影響によって、使用者が引き出しを掴み、完全に開くことを可能とする。これは、特に、ハンドルが設けられていない引き出しである場合において、使用者が引き出しを掴み、完全に開くことを可能とするものである。
【０００４】
反対に、引き出しを閉めるために、自己閉鎖装置が、一般的に固定された引き出しガイドと連関して用いられる。この自己閉鎖装置は、スライダーを支持するための支持部材を有し、この支持部材は、二つの固定されたターミナルの位置の間において、当該支持部材内に設けられた溝の中を動くことができる。
【０００５】
スライダーは、後退可能な引き出しガイドに一体的に取り付けられた引き出し手段によって作動されたバネの作用のために、通常溝内を移動する。
【０００６】
引き出しの開放は、自己閉鎖装置の作動を決定する。この自己閉鎖装置は、引き出しが再度閉鎖したときに、最後のストロークの伸びにおいて、例えばピン手段によって、バネの効果のために完全に閉鎖された位置にまで復帰させる動作を引き受ける。
【０００７】
自己閉鎖装置と協働する、閉鎖する力を吸収するための減速装置が、一般的に設けられており、引き出しの閉鎖用バネによって引き起こされる衝撃を減衰させる。
【０００８】
上記した考慮すべき事項の観点から、家具ユニットの可動部を支配する自動開放システムと自己閉鎖システムとを組み合わせることを可能とする必要性に由来する複雑さを知覚することは、容易である。なぜならば、ラチェットおよび自己閉鎖装置に係る力は、通常、互いに対照的になる傾向があり、他方の開放または閉鎖の動作を規制する。
【０００９】
これらの理由から、いくつかの極端に複雑なシステムが、考案されてきた。すなわち、このようなシステムは、この目的のために、生じた力を補い、実質的に自動で（部分的であったとしても）家具ユニットの可動部の開放および閉鎖を行うことを可能とするために、電動モーターによって駆動された部材を利用するものである。このような解決手段は、時にはほとんど効果的ではない。しかしながら、装置を極端に複雑にすることに加えて、時間とともに継続的な効率性を確保することに容易に失敗する傾向があるため、これらの手段は、定期的なメインテナンスを必要とし、高コストを伴い、且つ、ある種の家具への適用を不適切としてしまうこととなる。上記可動部は、引き出しから構成されているとき、自己閉鎖装置を、家具ユニットに関連する様々な位置、例えばその移動を可能とするガイドと直線的に配列するように、無関係に配置することが可能である。これに対して、ヒンジによって扉が回動する場合においては、この装置が、ヒンジが設けられている側の反対の家具ユニット部分に配置されることが望ましい。すなわち、可能であれば、装置を可能とするために十分となる扉の変位を得るために、使用者によって外部から負荷される圧力によることが望ましい。扉は、引き出し手段と自己閉鎖システムのスライダーとの間における結果的により複雑となる相互作用とともに、対向して隣接する家具ユニットの側部から、その端部を完全に分離することによって開かれる。
【００１０】
さらに、商業的に利用可能な様々なタイプのヒンジがあり、その内のいくつかは、特に、扉の閉扉方向に向けたスラストを提供するための、あるいは減速装置によって補助されている弾性装置が、組み込まれている。または、扉の開扉方向に向けたスラストを導入するための、あるいは前述したラチェット装置と協働する弾性装置と取り付けられている。ＤＥ１９９３５１２０は、請求項１の前提要件になる家具の可動部を開閉するための装置を開示する。
【発明の概要】
【発明が解決しようとする課題】
【００１１】
本発明の技術的目的は、従来の技術的欠陥を克服した、家具ユニットの可動部を開閉するための装置を、結果的に実現することである。この技術的目的の背景において、本発明の一つの目的は、高信頼性であり、簡易な機能設計であり、且つ、この目的を達成するための通常または特別のメインテナンスを必要とせずに長期にわたる効率性を保証する、家具ユニットの可動部を開閉するための装置を実現することである。本発明の他の目的は、技術知識を持たない人によっても困難なく設置することができ、結果として、必要に応じて使用者によって取り替えや調整することができる、家具ユニットの可動部を開閉するための装置を実現することである。また、その他の事項において、コストを削減し、市場への普及を助けることも目的とするものである。
【００１２】
さらに、必ずしも必要ではないが、他の目的として、いずれのタイプの家具にも設置可能であって、占有空間が限定的である、家具ユニットの可動部を開閉するための装置を、結果的に実現することである。
【課題を解決するための手段】
【００１３】
本発明によれば、上記した技術的課題およびこれらの目的は、請求項１に係る家具ユニットの可動部を開閉するための装置によって達成される。
【００１４】
本発明に係る装置は、概して、例えば引き出しを含む家具ユニットの可動部に取り付け可能である。しかし、この装置は、鉛直または水平の軸の周りに回動する扉を開く用途に特に適しているものである。その代わりに、好ましくは家具ユニットの可動部の閉鎖は、標準のガイドまたはヒンジに組み込まれた既知の閉鎖装置によって補助されるか、または委ねられる。ここで、標準のガイドまたはヒンジは、これら動作を可能とするために設けられる部材である。
【００１５】
本発明の他の特徴は、独立請求項においてさらに述べられている。
【００１６】
本発明のさらなる特徴および利点は、本発明に係る家具ユニットの可動部を開閉するための装置の好ましい（しかしながら排他的ではない）実施形態の記載から、より明確に表れる。これら実施形態は、限定されない実施例として、願書に添付された図面に示されている。
【図面の簡単な説明】
【００１７】
【図１】本発明の第一の好ましい実施形態に係る装置を上方から見た図であって、引き出し手段が初期位置にあり、扉が閉扉している状態を示す。
【図２】図１に示す装置において、引き出しピンがスライダーのリアキャビティーから外れた状態を示す。
【図３】図１に示す装置において、引き出しピンが、スライダーの前端に対向するように隣接し、使用者が掴むことが可能となるのに十分な位置にまで開かれた状態を示す。
【図４】図１に示す装置において、使用者が外部から扉を引く動作を行い、引き出し手段が、扉を開放するまで、スライド軸と交差する方向へ移動された状態を示す。
【図５】図１に示す装置において、引き出し要素の後退の間、引き出しピンがスライダーのリアキャビティー端部に対向して隣接する状態を示す。
【図６】図１に示す装置において、扉が開扉し、引き出しピンが初期位置にまで復帰した状態を示す。
【図７】図１中のVII−VIIにおける断面図を示す。
【図８】図１に示す装置を支持する支持本体を上方から見た図を示す。
【図９】図１に示す装置のボックス状部材のためのカバー内部を上方から見た図を示す。
【図１０】図１に示す装置の引き出し要素を上方から見た図を示す。
【図１１】図１に示す装置の第二スライダーの側面図を示す。
【図１２】本発明の第二の好ましい実施形態に係る装置を上方から見た図であって、引き出し要素が初期位置にあり、扉が閉扉した状態を示す。
【図１３】図１２に示す装置の引き出し要素を上方から見た図を示す。
【発明を実施するための形態】
【００１８】
以下の種々の実施形態においては、同様の部分は、同じ符号により示すものとする。
【００１９】
上記した図面に関して、本発明に係る家具ユニットの可動部を開閉するための装置は、概して参照番号１として示されている。ここで言及される家具ユニットの可動部１０３は、この特定の好ましい実施形態において、家具ユニットの本体に関連してスイングする扉である。しかしながら、より一般的には、引き出し、またはその他これに類似する部材の前端部であってもよい。
【００２０】
装置１は、家具ユニットの固定部１１６と接続した本体２０８を備える。この本体２０８は、第一弾性手段、具体的にはバネ５の動作のためにスライド軸１００に沿って往復動可能に摺動するスライダー３を支持するための部材である。より正確には、スライダー３は、支持本体２０８に設けられた溝部２０４に摺動可能に係合している。この溝部２０４は、スライド軸１００の方向に延在している。スライダー３は、引き出し要素２０５に設けられた引き出し手段と係合可能となっている。引き出し要素２０５は、スライド軸１００の方向に摺動し、一体的または着脱可能に家具ユニットの可動部１０３に連結可能である。特に、引き出し要素２０５は、支持本体２０８のカバー要素２１５に設けられたガイド要素１１４の内部において摺動可能に支持されている。
【００２１】
引き出し要素２０５は、スライド軸１００の方向に縦に延び、断面Ｃ字状の形状を有している。
【００２２】
支持本体２０８は、引き出し手段とスライダー３を互いの係合から開放するために引き出し手段を移動させるのに適した第一移動手段を有する。
【００２３】
引き出し手段は、スライド軸１００の方向に向けて往復動可能となるように、引き出し要素２０５によって有利に支持されている。
【００２４】
特に、引き出し手段は、レバー４３に取り付けられた引き出しピン２０６を有する。レバー４３は、スイング動作を可能とするために、引き出し要素２０５に、４４において枢支されている。
【００２５】
図１〜図１１に示す実施形態に関して、引き出しピン２０６の反対側に位置するアーム上において、レバー４３は、可動部１０３に機械的に係止させるための係止要素４２を有している。このレバー４３は、例えば可動部１０３に取り付けられ、係止要素４２によって係止されるクロスピン４０を保持する二つのフランジを備える要素４１によって、可動部１０３に機械的に係止される。
【００２６】
図１２および図１３は、本発明の第二の実施形態を示す。この実施形態は、引き出し要素２０５に関してのみ、第一の実施形態と本質的に異なっており、可動部１０３を係止するためのシステムが、マグネットタイプである。
【００２７】
この実施形態においては、レバー４３は、引き出しピン２０６を有する単純なレバーであって、この引き出しピン２０６は、レバー４３の自由端に固定されている。マグネット要素３００は、可動部１０３または引き出し要素２０５の前端に保持される。
【００２８】
これより、本発明に係る好ましい二つの実施形態に関して再度説明する。
【００２９】
支持本体２０８は、トラック４５を有し、トラック４５に沿って引き出しピン２０６の自由端がガイドされる。
【００３０】
第一移動手段は、トラック４５の、少なくとも一つの第一ストレッチ１５１と第二ストレッチ１５２とから構成され、横方向に傾斜するように、スライド軸１００と交差する方向に延在している。そして、これらは、上記トラック４５の第三ストレッチ１５３および第四ストレッチ１５４によって連結されている。上記トラック４５は、スライド軸１００と平行に延在している。
【００３１】
特に、トラック４５は、近接する平行な二つのレールを含む。このレールは、四角形状を有する閉鎖された経路に沿って延在している。
【００３２】
本発明の第一の実施形態は、家具ユニットの可動部１０３に対する装置１の係合および開放の機械的制御を、引き出しピン２０６のために備えられたトラック４５を用いて可能としている。これは、第二の実施形態に対しても好ましいものである。なぜならば、これにより、低信頼性且つ騒音を生じるマグネットカップリングを用いる必要性を回避することができるからである。
【００３３】
溝部２０４は、その前端部において、スライダー３をスライド軸１００と交差する方向に移動させるための第二の手段を有する。この第二移動手段は、スライダー３をガイドするための手段を備え、開放可能な方法で係合させるのに適したものである。
【００３４】
第二移動手段は、溝部２０４において前方屈曲部１５５を備える。その一方、ガイド手段は、前方ガイドピン１５６と、後方ガイドピン１５７とを備える。前方ガイドピン１５６および後方ガイドピン１５７は、恒久的に、溝部２０４内を摺動可能に、スライダー３によって運搬される。
【００３５】
また、スライダー３は、前端部１５９と後端部１６０とによって画定される凹み面１５８を有する。前端部１５９と後端部１６０とは、引き出しピン２０６の移動を規制する。凹み面１５８は、リアキャビティー１６１を含む。このリアキャビティー１６１において、引き出しピン２０６が、開放可能に係合する。
【００３６】
本実施形態においては、装置１が、ヒンジが取り付けられた家具ユニットに取り付けられており、可動部１０３を閉じる方向にスラストをもたらす。また、本実施形態においては、支持本体２０８によって保持される第二のスライダー１０１が、さらに設けられている。第二スライダー１０１は、第二弾性手段、特に第二バネ１０２の作動により、対照的にスライド軸１００の方向に往復動可能となっている。第二スライダー１０１は、引き出し要素２０５に設けられた第二の引き出し手段と係合可能となっている。
【００３７】
第二の引き出し手段は、引き出し要素２０５から横方向に延びるフィン２０７を備え、第二スライダー１０１に設けられたガイドスロット１０８において、摺動可能に係合している。
【００３８】
また、装置１は、弾性的に柔らかなストップ要素２０９を備えており、引き出し要素２０５は、第一移動手段において引き出し手段と係合する前に、ストップ要素２０９と直接的または間接的に当接する。そして、ストップ要素２０９は、引き出し要素２０５を開く方向に押すスラスト手段に取り付けられてもよい。
【００３９】
好ましくは、これらのスラスト手段は、引き出し要素２０５を、その移動ストロークの一ストレッチのみにおいて押す。
【００４０】
スラスト手段は、引き出し要素２０５の後部において支持本体２０８に設けられたイジェクターを有する。イジェクターは、スプリング（図示せず）の動作により対照的にスライド軸１００の方向に移動可能なステム２０ｂを収容する部分２０を含む。そして、それは、いずれの独立した閉扉装置、例えばヒンジに組み入れられたものにより負荷される力よりも大きな力によって可動部１０３の最初の開扉ストロークを生じさせるために、引き出し要素２０５の後方ベース部に作用するように設計される。
【００４１】
いずれの実施形態においても、イジェクターは、第一弾性手段の弾性力よりも弱い放出力を有している。これにより、スライダー３が自由に摺動可能であるとき、後者が引き出し要素２０５を運搬可能であって、スライダー３が可動部１０３の閉扉位置に相当する位置（図６）へ向けて、引き出し要素２０５と係合する。
【００４２】
図示した実施形態においては、引き出し要素２０５は、結果的に、ストップ要素２０９に対して間接的に接触する。例えば、引き出し要素２０５は、閉扉位置においてステム２０ｂを完全に収容部分２０内に引き込ませ、これにより剛性ユニットを形成するイジェクターの介入によって、間接的に接触する。
【００４３】
イジェクターの収容部分２０は、弾性的に柔らかいストップ要素２０９によって、支持本体２０８に設けられた固定ストップ要素５０に向けて、第一弾性手段によって負荷される力よりも大きな力で押されている。これにより、収容部分２０が、弾性的に柔らかいストップ要素２０９と対比させる外部動作の効果の下で、スライド軸１００の方向に後退することが可能となる。これは、典型例においては、収容部分２０の後方ベース部と固定ガイド１６２の底壁との間に挿入されたバネである。収容部分２０は、固定ガイド１６２に沿って移動可能である。本発明に係る装置の操作は、上記の記載および図面より明らかである。特に、第一の好ましい実施形態に関して、実質的に以下に示す。
【００４４】
第一フェーズにおいては、可動部１０３が閉じられており、引き出し要素２０５に対して隣接している。第一フェーズにおいて、引き出しピン２０６は、スライダー３のリアキャビティー１６１に係合している。引き出しピン２０６は、引き出し要素２０５がイジェクターのステム２０ｂと当接した状態において、停止して保持されている。一方、イジェクターは、弾性的に柔らかいストップ要素２０９と当接している。ストップ要素２０９は、圧縮されてはいないが、イジェクターを固定ストップ要素５０と対向する位置に保持するために、弾性力を発揮している状態となっている。イジェクター２０の力は、バネ５の力よりも弱いため、ステム２０ｂは、後退した位置にある。
【００４５】
図２に示すように、引き出し要素２０５の移動に続き、外部から家具ユニットの可動部１０３に加えられた圧力は、ストップ要素２０９と対照的にイジェクターの収容部分２０の後退をもたらし、ストップ要素２０９が弾性変形する。この移動によって、引き出しピン２０６が、トラック４５の傾斜壁（第二ストレッチ）１５２に沿って横方向に摺動する。そして、引き出しピン２０６を、スライダー３に係合させていたシート（リアキャビティー）１６１から開放する。同時に、係止要素４２を、家具ユニットの可動部１０３に設けられたピン４０に係合させる。使用者によって外部から加えられていた圧力が開放されると、バネ５は、スライダー３を溝部２０４の底部の位置に保持させる一方、イジェクターの収容部分２０は、固定ストップ要素５０と当接する最初の位置に復帰する。そして、ステム２０ｂが引き出され、その結果、引き出し要素２０５を押すとともに、図３に示す位置にまで引き出しピン２０６を移動させる。可動部１０３は、把持され、完全に開扉することが可能となる。
【００４６】
この開扉動作の間、引き出しピン２０６は、スライダー３の前端部１５９と当接し、それを押す。スライダー３は、溝部２０４に沿って引き出され、図４に示す位置となる。ここで、引き出しピン２０６は、トラック４５の傾斜前壁（第一ストレッチ）１５１に沿って摺動する。この位置において、スライダー３は、溝部２０４の前方屈曲部１５５において前方ガイドピン１５６と係合する。このようにして、スライダー３は、バネ５の弾性力を負荷された状態で、この位置にロックされる。係止要素４２は、ピン４０および引き出し要素２０５との係合が解除され、引き出しピン２０６とともに、第二バネ１０２によって引き戻す力が負荷されているスライダー１０１と係合する引き出しフィン２０７の作用によって、後方に押し戻される。第二バネ１０２は、引き出し要素２０５が引き出されている間に引き延ばされ、弾性力を発揮する状態となっている。
【００４７】
図５に示す位置において、引き出しピン２０６は、スライダー３の後端部１６０と当接し、それを押す。これにより、スライダー３は、現在の位置から開放され、引き出し要素２０５とともに、図６に示す初期位置に復帰する。ここで、可動部１０３は、開放されたままである。
【００４８】
係止要素４２は、この位置においては引き上げられているので、可動部１０３を、適合される公知の典型的な閉扉装置によって、通常通りに再度閉扉することが可能である。さらに、この閉扉位置から、可動部１０３を、偶発的に引くことによって、装置を変則的に作動させることなく、再度開くことができる。その結果として、装置を損傷させることもない。図１２および図１３に示す、マグネット係止システムを備えた装置も、ガイドやヒンジに取り付けられた家具ユニットの可動部に適したものである。この装置は、独立した開扉方向におけるスラスト装置をすでに備えている。しかしながら、この装置は、以下の点において、本質的な違いがある。すなわち、レバー４３の回転が、引き出しピン２０６をスライダーから係合解除するためだけに行われ、その一方で、磁気的な連結力が、使用者によって負荷される引く力よりも小さくなったときに、引き出し要素２０５は、家具ユニットの可動部１０３から開放される。そして、引き出し要素２０５は、スライダー１０１に設けられた前方ストップによって、ストロークの端部に保持される。
【００４９】
本発明に係る装置は、ドアまたは引き出しの単純かつ実用的な開閉を可能とする、使用者による把持を容易とする、および制御された閉扉動作を確証する点において、特に有利であるということが、実際に示されている。
【００５０】
このように考案された本発明は、発明の概念の範囲内において、多くの修正や改良を加えてもよく、いずれの構成部材を、技術的に同等である他の部材に置換してもよい。
【００５１】
実際上は、必要性や技術状態によって、いずれの材料を用いてもよく、いずれの寸法としてもよい。
【符号の説明】
【００５２】
１  装置、３  スライダー、５  バネ、２０  収容部分、２０ｂ  ステム、４０  クロスピン、４１  要素、４２  係止要素、４３  レバー、４５  トラック、１００  スライド軸、１０１  第二スライダー、１０２  第二バネ、１０３  可動部、１０８  ガイドスロット、１１４  ガイド要素、１１６  固定部、１５１，１５２，１５３，１５４  ストレッチ、１５５  前方屈曲部、１５６  前方ガイドピン、１５７  後方ガイドピン、１５８  凹み面、１５９  前端部、１６０  後端部、１６１  リアキャビティー、１６２  固定ガイド、２０４  溝部、２０５  引き出し要素、２０６  引き出しピン、２０７  フィン、２０８  支持本体、５０，２０９  ストップ要素、２１５  カバー要素、３００  マグネット要素。
【図１】
0005615290.tif 000002
【図２】
0005615290.tif 000003
【図３】
0005615290.tif 000004
【図４】
0005615290.tif 000005
【図５】
0005615290.tif 000006
【図６】
0005615290.tif 000007
【図７】
0005615290.tif 000008
【図８】
0005615290.tif 000009
【図９】
0005615290.tif 000010
【図１０】
0005615290.tif 000011
【図１１】
0005615290.tif 000012
【図１２】
0005615290.tif 000013
【図１３】
0005615290.tif 000014